(57)【要約】      （修正有）【課題】複数のペール容器に収納された溶接用ワイヤを連続して使用する場合において、溶接用ワイヤが押え板とワイヤ積層体との間から飛び出してもつれることがなく、円滑に取り出して溶接部へ送給することを可能とした溶接用ワイヤの装填物を提供する。【解決手段】ペールパック１内に溶接用ワイヤがループ状に積層され、このワイヤ積層体９の上端に環状の押え板４が載置され、溶接用ワイヤの使用に当たって溶接用ワイヤ始端部７が押え板の内側から引き出されるものである溶接用ワイヤの装填物において、前記押え板は外周の一部に切り欠き部１０を有し、積層された溶接用ワイヤの終端部６はペールパック内壁面に沿って上方に導かれ、押え板における前記切り欠き部を有する個所の下部を介して押え板の内側５から引き出されてペールパック上方の内壁面に取り付けられている。【選択図】図１
2009166063.tif 000002
【特許請求の範囲】
【請求項１】
ペールパック内に溶接用ワイヤがループ状に積層され、このワイヤ積層体の上端に環状の押え板が載置され、溶接用ワイヤの使用に当たって溶接用ワイヤ始端部が押え板の内側から引き出されるものである溶接用ワイヤの装填物において、前記押え板は外周の一部に切り欠き部を有し、積層された溶接用ワイヤの終端部はペールパック内壁面に沿って上方に導かれ、押え板における前記切り欠き部を有する個所の下部を介して押え板の内側から引き出されてペールパック上方の内壁面に取り付けられていることを特徴とする溶接用ワイヤの装填物。
【請求項２】
ペールパックの内壁面に上端が固定されて前記内壁面とワイヤ積層体外周部との間に垂設された複数の紐部材を有し、押え板の切り欠き部は隣り合う紐部材と紐部材との間に設けられていることを特徴とする請求項１記載の溶接用ワイヤの装填物。
【請求項３】
押え板の切り欠き部の半径方向の最大長さは、ワイヤ積層体の巻き幅の１／２以上であることを特徴とする請求項１または請求項２に記載の溶接用ワイヤの装填物。
【発明の詳細な説明】
【技術分野】
【０００１】
本発明は、捩り入りのソリッドワイヤやフラックス入りワイヤ等の溶接用ワイヤを、ペールパックにループ状に積載収納した溶接用ワイヤの装填物に関する。
【背景技術】
【０００２】
１００〜４００ｋｇの溶接用ワイヤの収納容器として一般にペールパックが使用される。特に大量に使用される場合には、複数のペールパックを並べて先行するペールパックの溶接用ワイヤ終端部と次に使用されるペールパックの溶接用ワイヤ始端部とをバット溶接により接続して連続使用することを可能としている。
【０００３】
前記連続使用の技術として、例えば特公平３−３３４３４号公報（特許文献１）に開示されているものがある。図４はこのような溶接用ワイヤの装填物の一部切り欠いた斜視図である。この図に示すように積層された溶接用ワイヤの終端部６をワイヤ積層体９とペールパック内壁面２に沿って上方へ導き、環状の押え板４の下部を介して押え板の内側５、すなわち押え板の中央部の丸穴から引き出し、先行するペールパック１の溶接用ワイヤ終端部６と次に使用するペールパック１の溶接用ワイヤ始端部７をバット溶接にて接続して連続使用する。そして溶接用ワイヤは、押え板の内側５から押え板内周に沿いながら引き出される。
【０００４】
また前記技術は、さらに実公昭６４−４７６４号公報（特許文献２）にあるように、ペールパック内壁面２と押え板４との間からのワイヤ積層体９上部のワイヤ跳ね上がりを防止するために紐部材８を設けた技術と組み合わせて使用されることが多い。この紐部材８はペールパック内壁面２の上部に上端を固定し、押え板４に設けられた孔１１を挿通してペールパック内壁面２とワイヤ積層体９外周部との間に垂設する。
【０００５】
ところで溶接用ワイヤ終端部６はワイヤ積層体９の外周面かつペールパックの内壁面２に沿って上方へ導いたのちに押え板４の下部を介して押え板の内側５から引き出される。そしてペールパック１の上方でワイヤ終端部６を粘着テープや固定治具などの保持具３によってペールパック内壁面２に止着されている。溶接用ワイヤの分量が減るにつれて図５に示すようにワイヤ積層体９の外周面かつペールパック内壁面２に沿って上方へ導かれていた溶接用ワイヤが弛んでくる。そして隣り合う紐部材８と紐部材との間において、ワイヤ積層体９の上方と押え板４下面との間のワイヤがＡ部のようにペールパックの内壁面２と押え板４の外側の間から突出する場合がある。
【０００６】
突出した溶接用ワイヤＡ部は、ワイヤの剛性によって図６の溶接用ワイヤ装填物の部分断面図に示すように押え板４を持ち上げて下降を阻害し、押え板４とワイヤ積層体９との間に隙間が生ずるためワイヤ積層体９を押えることができず、溶接用ワイヤが飛び出してもつれて溶接用ワイヤを送給できなくなる場合がある。
【特許文献１】特公平３−３３４３４号公報
【特許文献２】実公昭６４−４７６４号公報
【発明の開示】
【発明が解決しようとする課題】
【０００７】
本発明は、複数のペールパックに収納された溶接用ワイヤを連続して使用する場合において、溶接用ワイヤが押え板とワイヤ積層体との間から飛び出してもつれることがなく、円滑に取り出して溶接部へ送給することを可能とした溶接用ワイヤの装填物を提供することを目的とする。
【課題を解決するための手段】
【０００８】
本発明の要旨は、ペールパック内に溶接用ワイヤがループ状に積層され、このワイヤ積層体の上端に環状の押え板が載置され、溶接用ワイヤの使用に当たって溶接用ワイヤ始端部が押え板の内側から引き出されるものである溶接用ワイヤの装填物において、前記押え板は外周の一部に切り欠き部を有し、積層された溶接用ワイヤの終端部はペールパック内壁面に沿って上方に導かれ、押え板における前記切り欠き部を有する個所の下部を介して押え板の内側から引き出されてペールパック上方の内壁面に取り付けられていることを特徴とする溶接用ワイヤの装填物にある。
またここにおいて、ペールパックの内壁面に上端が固定されて前記内壁面とワイヤ積層体外周部との間に垂設された複数の紐部材を有し、押え板の切り欠き部は隣り合う紐部材と紐部材との間に設けられていること、押え板の切り欠き部の半径方向の最大長さは、ワイヤ積層体の巻き幅の１／２以上であることも特徴とする。
【発明の効果】
【０００９】
本発明の溶接用ワイヤの装填物によれば、複数のペールパックに収納された溶接用ワイヤを連続して使用する場合において、押え板に切り欠き部を設けて押え板の浮き上がりを防止したので、溶接用ワイヤが押え板とワイヤ積層体との間から飛び出してからみやもつれが発生することなく円滑に取り出して溶接部へ送給することができる。
【発明を実施するための最良の形態】
【００１０】
図１は、本発明の溶接用ワイヤの装填物を示す一部切り欠いた斜視図である。ペールパック１に捩り入りの溶接用ワイヤがループ状に積層収納されワイヤ積層体９を形成し、外周の一部に切り欠き部１０を有する環状の押え板４がワイヤ積層体９上面に載置されて溶接用ワイヤの跳ね上がりを防止している。
【００１１】
溶接用ワイヤ終端部６は、ワイヤ積層体９の外周面かつ、ペールパック内壁面２に沿ってペールパック１の底部から上方へ導いたのち、押え板４における切り欠き部１０を有する個所の下部を介して押え板の内側５から引き出し、ペールパック１の上方の内壁面２に粘着テープや固定冶具などの保持具３によって止着されている。一方、溶接用ワイヤ始端部７は、溶接用ワイヤの使用に当たって押え板の内側５に沿って引き出されて図示しないワイヤ取り出し装置またはワイヤ案内部材に導入され、ワイヤ送給装置に送られる。
【００１２】
また、ペールパック内壁面２と押え板４との間からのワイヤ積層体９上部のワイヤの跳ね上がりを防止するために複数の紐部材８を設けている。これらの紐部材８はペールパック内壁面２の上部に上端を固定し、押え板に設けられた孔１１を挿通してペールパック内面壁２とワイヤ積層体９外周部との間に垂設されている。そして押え板の外周に設けられた前記の切り欠き部１０は隣り合う紐部材と紐部材との間に位置している。
【００１３】
溶接用ワイヤの分量が減るにつれて図１に示すように、ワイヤ積層体９の外周面かつペールパック内壁面２に沿って上方へ導かれていた溶接用ワイヤ終端部６が弛み、ペールパックの内壁面２とワイヤ積層体９との間からワイヤがＡ部で示したように突出する場合がある。しかし突出するＡ部の発生位置では押え板４が外周に切り欠き部１０を有しているので、図２の本発明の溶接用ワイヤ装填物の部分断面図に示すように、押え板４を持ち上げることがなく溶接用ワイヤの分量が減ると共に押え板４も下降する。したがって、溶接用ワイヤが飛び出してもつれが生じることがない。
【００１４】
また、押え板４の切り欠き部１０は、ペールパック１の外筒に上端を固定し、外筒内壁２とワイヤ積層体９外周部との間に垂設した複数の紐部材８の間にある。押え板４は紐部材が挿通されているため回転しないので切り欠き部１０が移動することがなく、Ａ部が突出しても押え板４の外周部に接触することがない。したがって、押え板４が持ち上がることがないので溶接用ワイヤが飛び出してもつれが生じることがない。
【００１５】
押え板４の外周の一部に設ける切り欠き部は、図３（ａ）、（ｂ）、（ｃ）の押え板の平面図に示すように円状のもの１０１、三角状のもの１０２および台形状のもの１０３など、どのような形状でも同様の効果が得られる。また、図３に示す押え板の切り欠き部の半径方向の最大長さＢは、ワイヤ積層体の巻き幅の１／２以上とするのが好ましい。これによりＡ部が突出しても押え板４を持ち上げることがないので溶接用ワイヤが飛び出してもつれることがない。切り欠き部の最大長さＢが積層体巻き幅の１／２未満であると、Ａ部が突出した場合押え板４を持ち上げて溶接用ワイヤが飛び出してもつれることがある。なお、押え板の切り欠き部の半径方向の最大長さＢは、押え板の内側５まで到達しない長さとする。また押え板の切り欠き部の円周方向長さは、短いとＡ部が突出した場合押え板４の外周部に接触して押え板４を持ち上げるので、両側の紐部材を挿通する孔１１の近傍に達する切り欠き部１０を設けることが好ましい。
【実施例】
【００１６】
ワイヤ径１．２ｍｍと１．６ｍｍのソリッドワイヤ（ＪＩＳ  Ｚ３３１２  ＹＧＷ１２）およびフラックス入りワイヤ（ＪＩＳ  Ｚ３３１３  ＹＦＷ−Ｃ５０ＤＲ）を、内径５００ｍｍと６５０ｍｍのペールパック内に底部から５００ｍｍ高さまで積層体の巻き幅を７０ｍｍとしてループ状に積層した。この積層体の上端に表１に示す各種押え板を載置して、ペールパック内壁面と積層体外周面との間から突出部を３０ｍｍ出した状態で押え板の浮き上がりの高さおよびもつれの有無を調べた。紐部材は、各試験例とも４本設け、切り欠き部は紐部材と紐部材との間に設けた。試験方法はペールパックから溶接用ワイヤを７ｍ／分の速度で連続に引き出した。なお、もつれが生じた時点で試験は中止した。その結果も表１に示す。
【００１７】
【表１】
2009166063.tif 000003
【００１８】
表１中試験Ｎｏ．１〜４が本発明例、試験Ｎｏ．５〜８は比較例である。本発明例である試験Ｎｏ．１〜３は紐部材間の押え板外周部に、半径方向の最大長さが積層体巻き幅の１／２以上の切り欠き部を有するので押え板の浮き上がりが無く、もつれも生じることがなく極めて満足な結果であった。なお試験Ｎｏ．４は、切り欠き部の半径方向の最大長さが積層体巻き幅の１／２未満であるので、押え板が僅かに持ち上がったがワイヤの飛び出しがなくもつれが生じることはなかった。
【００１９】
比較例中試験Ｎｏ．５〜７は、押え板に切り欠き部を有しないので、押え板の浮き上がり高さが大きくもつれが発生した。
試験Ｎｏ．８は、切り欠き部の半径方向の最大長さが短いので、押え板の浮き上がり高さが大きくなり溶接用ワイヤの残量が少なくなったところでもつれが発生した。
【図面の簡単な説明】
【００２０】
【図１】本発明の溶接用ワイヤの装填物を示す一部を切り欠いた斜視図
【図２】本発明の溶接用ワイヤの装填物における押え板の状態を示す部分断面図
【図３】（ａ）、（ｂ）、（ｃ）はそれぞれ本発明の溶接用ワイヤの装填物に用いる押え板を示す平面図
【図４】従来の溶接用ワイヤの装填物を示す一部を切り欠いた斜視図
【図５】従来の溶接用ワイヤの装填物を示す一部を切り欠いた斜視図
【図６】従来の溶接用ワイヤの装填物における押え板の状態を示す部分断面図
【符号の説明】
【００２１】
１    ペールパック
２    ペールパック内壁面
３    溶接用ワイヤ終端部の保持具
４    押え板
５    押え板の内側
６    溶接用ワイヤ終端部
７    溶接用ワイヤ始端部
８    紐部材
９    ワイヤ積層体
１０    切り欠き部
１１    孔
１０１    円状の切り欠き部
１０２    三角状の切り欠き部
１０３    台形状の切り欠き部
【図１】
2009166063.tif 000004
【図２】
2009166063.tif 000005
【図３】
2009166063.tif 000006
【図４】
2009166063.tif 000007
【図５】
2009166063.tif 000008
【図６】
2009166063.tif 000009